(57)【要約】  液晶パネルを用いる表示装置の狭額縁化の要請に対応しつつ、表示ムラの防止を良好に実現することができる液晶パネル及び該液晶パネルを用いた表示装置を提供する。  複数の画素を構成する複数の副画素に対応するように、格子状に形成されている複数の電極夫々に、補助容量が接続されてある。補助容量へ制御信号を伝達するための信号線である補助容量配線は、行方向に配線されてある。複数の補助容量配線は、複数行おきに同一グループに属するように、複数のグループに分別されており、同一グループの補助容量配線に前記画素領域内の点上で接続される列方向の枝配線が各グループについて複数備えられ、更に、複数の枝配線へ信号を支給する幹配線が接続されてある。該幹配線は、前記基板上の周辺部に行方向に分断されるようにして配されている単位配線からなり、単位配線毎に、同一グループに属する複数の枝配線に接続されてある。
2015079555.tif 000002
【特許請求の範囲】
【請求項１】
格子状に配列されている複数の画素夫々に対応するように、複数の電極及び該電極の補助容量が基板上の中央の画素領域に格子状に形成してあり、各行の画素に対応する補助容量に接続された複数の補助容量配線と、該補助容量配線を通じて各補助容量へ信号を送出する信号送出部とを備える液晶パネルにおいて、
前記複数の補助容量配線は、複数行おきに同一グループに属するように複数のグループに分別されており、
同一グループの補助容量配線に前記画素領域内の点上で接続される列方向の枝配線を各グループについて複数備え、
更に、
該複数の枝配線へ信号を支給する幹配線と、
前記信号送出部からの信号をグループ別に分配して前記幹配線へ送出する送出部と
を備え、
前記幹配線は、前記基板上の周辺部に行方向に分断されるように配されている単位配線からなり、該単位配線毎に、同一グループに属する複数の枝配線に接続されており、
前記送出部は、前記単位配線毎にグループ別の信号を送出するようにしてあること
を特徴とする液晶パネル。
【請求項２】
前記単位配線は列方向に並設されており、該単位配線の列方向の数は前記グループの数よりも少ない
ことを特徴とする請求項１に記載の液晶パネル。
【請求項３】
各グループの補助容量配線は、行方向に均等間隔に位置する異なる複数の単位配線と、該複数の単位配線に夫々接続されている複数の枝配線を介して接続されてある
ことを特徴とする請求項１に記載の液晶パネル。
【請求項４】
格子状に配列されている複数の画素夫々に対応するように、複数の電極及び該電極の補助容量が基板上の中央の画素領域に格子状に形成してあり、各行の画素に対応する補助容量に接続された複数の補助容量配線と、該補助容量配線を通じて各補助容量へ信号を送出する信号送出部とを備える液晶パネルにおいて、
前記複数の補助容量配線は、複数行おきに同一グループに属するように複数のグループに分別されており、
同一グループの補助容量配線に前記画素領域内の点上で接続される列方向の枝配線を各グループについて複数備え、
更に、
前記複数の補助容量配線へ信号を支給する幹配線と、
前記信号送出部からの信号をグループ別に分配して前記幹配線へ送出する送出部と
を備え、
前記幹配線は、前記基板上の周辺部に列方向に分断されるように配されている単位配線からなり、該単位配線毎に、同一グループに属する複数の補助容量配線に接続されており、前記送出部は、前記単位配線毎にグループ別の信号を送出するようにしてあること
を特徴とする液晶パネル。
【請求項５】
前記単位配線は、行方向に並設されており、該単位配線の行方向の数は前記グループの数よりも少ない
ことを特徴とする請求項４に記載の液晶パネル。
【請求項６】
各グループの枝配線は行方向に均等間隔に配線されており、列方向に均等間隔に位置する異なる複数の単位配線と、該複数の単位配線に夫々接続されている複数の補助容量配線を介して接続されてある
ことを特徴とする請求項４に記載の液晶パネル。
【請求項７】
前記複数の画素は夫々、異なる色別又は異なる光強度別の複数の副画素からなり、各電極及び補助容量は前記副画素に各々対応するようにしてあること
を特徴とする請求項１から６のいずれか１つに記載の液晶パネル。
【発明の詳細な説明】
【技術分野】
【０００１】
本発明は、複数の画素が格子状に配置された液晶パネルの駆動回路における配線構造に関する。特に、液晶パネルを用いる表示装置の狭額縁化の要請に対応しつつ、表示ムラの防止を良好に実現することができる液晶パネルに関する。
【背景技術】
【０００２】
液晶パネルを用いた表示装置は、液晶パネルにおける異なる場所毎に明暗を異ならしめることで画像を表示する。明暗の表現は、液晶パネルの背面側に設置した光源からの光の透過量を各場所で調整して実現する。光の透過量の調整は、偏光方向が直交する偏光板で挟んだ液晶パネルにおける液晶層の液晶分子の配向方向を、異なる場所毎に操作することで実現される。カラー画像は、色及び明暗が異なる点の集まりによって表現される。液晶パネルは、各点に対応する場所を画素とし、画素毎に赤（Ｒ）、緑（Ｇ）、及び青（Ｂ）の色及び明暗（輝度）を調整してカラー画像の表示を実現する。特にマトリクス方式の液晶パネルは、複数の画素が格子状に並列する画素領域を有している。該液晶パネルは、画素領域の画素毎に、光源からの光の透過量を色別に調整することでカラー画像の表示を実現する。【０００３】
マトリクス方式の液晶パネルにおける１つの画素は、複数の副画素からなる。１つの画素は、ＲＧＢの色毎の副画素で構成されている。１つの画素は、各色で２つずつの副画素からなる構成とされることがある。この場合、１つの画素は６つの副画素からなる。１つの画素が、各色で２つずつの副画素からなる構成では、２つの副画素の内、一方の副画素に画素欠陥が発生したときでも、他方の副画素で補完して１つの画素全体が欠陥画素となることを防止でき、正常画素の割合を高く維持することができる。また、２つの副画素における光の透過量を異ならしめることで、各画素の色又は輝度の中間階調を微細に調整することも可能となる。【０００４】
液晶層の液晶分子の配向方向の操作は、液晶層を挟んで対向する電極間に印加する電界の強度を調整して行なう。マトリクス方式の液晶パネルでは、２枚のガラス基板上の副画素に対応する箇所に、つまり格子状となるように、電極を夫々形成し、電極が形成されている側の面を対向配置させた前記２枚のガラス基板の間に液晶分子を含む液晶材料を封入し、各電極への印加電圧を制御することで各副画素に対応する液晶分子の配向方向を操作する。なお、各電極は、透光性が高い導電材料で形成される。また、各ガラス基板上の電極を含む回路上には、液晶分子を配向させるための配向膜が形成される。【０００５】
また、ガラス基板には、各副画素の電極への印加電圧を制御するための配線が、導電材料で形成されている。ガラス基板には、副画素の行方向の数及び列方向の数に応じて行方向及び列方向に導線が形成され、各副画素の電極は、行方向及び列方向の配線各々１つずつに接続される。各副画素の電極への印加電圧は、一行毎に各列の電極へ制御信号を印加することによって制御される。【０００６】
アクティブマトリクス方式の液晶パネルでは更に、各副画素の電極に薄膜トランジスタ（ＴＦＴ：Thin Film Transistor）を接続させると共に、補助容量（付加コンデンサ）を設けてある。これにより、一行毎に、各列の電極へ信号を印加するための制御信号が伝達されている間に、各副画素で制御電圧を保持することができ、表示品位を向上させることが可能となる。また、２つの副画素の補助容量への制御電圧を異ならしめることにより、各々の副画素に印加される電圧に差を設けることができ、各画素の中間階調を微細に調整することが可能となる。【０００７】
そのためガラス基板には、各電極への配線と共に、各補助容量への制御電圧を付加するための信号用の配線が形成される。補助容量用の配線は、行方向に配列された複数の配線が、画素領域外の両側に列方向に配線された幹配線に接続され幹配線が補助容量用の制御部に接続され、該制御部から矩形波である制御信号が出力される。【０００８】
昨今の液晶パネルにおける画素数は、例えばフルハイビジョンであれば、行方向に1920、列方向に1080である。１つの画素が、ＲＧＢの色別に２つの副画素からなる６つの副画素で構成される場合、副画素の数は1920×1080×6 となり１千万個以上である。したがって、各副画素の補助容量の配線は、膨大な数及び距離となる。これにより、各行への制御信号の伝達率が低下し、表示ムラとして認識される虞があった。【０００９】
制御信号の伝達率の低下は、幹配線を太くすることで防止することができる。しかしながら、昨今の液晶パネルを用いた表示装置では、大型化及び薄型化と共に、狭額縁化が求められている。幹配線を太くすることは、狭額縁化の要請に反する。そこで、特許文献１では、補助容量への配線に枝線を設けて矩形波である制御信号の鈍りを抑止すると共に、更に、各補助容量への制御電圧を複数の種類にグループ分けすることで伝達速度を向上させるようにしてある。
【先行技術文献】
【特許文献】
【００１０】
【特許文献１】国際公開ＷＯ２０１０／１３４４３９号
【発明の概要】
【発明が解決しようとする課題】
【００１１】
特許文献１に開示されている補助容量への配線により、補助容量への制御信号の波形のなまりを抑制することができる。しかしながら、さらなる狭額化を実現し、且つ波形鈍りを防止するためには、補助容量用の配線の取り回しが課題となる。【００１２】
本発明は斯かる事情に鑑みてなされたものであり、各副画素の電極における補助容量に対する配線面積を縮小させ、且つ信号の矩形波の波形なまりを抑制することが可能な構成によって、液晶パネルを用いる表示装置の狭額縁化の要請に対応しつつ、表示ムラの防止を良好に実現することができる液晶パネルを提供することを目的とする。
【課題を解決するための手段】
【００１３】
本発明に係る液晶パネルは、格子状に配列されている複数の画素夫々に対応するように、複数の電極及び該電極の補助容量が基板上の中央の画素領域に格子状に形成してあり、各行の画素に対応する補助容量に接続された複数の補助容量配線と、該補助容量配線を通じて各補助容量へ信号を送出する信号送出部とを備える液晶パネルにおいて、前記複数の補助容量配線は、複数行おきに同一グループに属するように複数のグループに分別されており、同一グループの補助容量配線に前記画素領域内の点上で接続される列方向の枝配線を各グループについて複数備え、更に、該複数の枝配線へ信号を支給する幹配線と、前記信号送出部からの信号をグループ別に分配して前記幹配線へ送出する送出部とを備え、前記幹配線は、前記基板上の周辺部に行方向に分断されるように配されている単位配線からなり、該単位配線毎に、同一グループに属する複数の枝配線に接続されており、前記送出部は、前記単位配線毎にグループ別の信号を送出するようにしてあることを特徴とする。【００１４】
本発明に係る液晶パネルは、前記単位配線は列方向に並設されており、該単位配線の列方向の数は前記グループの数よりも少ないことを特徴とする。【００１５】
本発明に係る液晶パネルは、各グループの補助容量配線は、行方向に均等間隔に位置する異なる複数の単位配線と、該複数の単位配線に夫々接続されている複数の枝配線を介して接続されてあることを特徴とする。【００１６】
本発明に係る液晶パネルは、格子状に配列されている複数の画素夫々に対応するように、複数の電極及び該電極の補助容量が基板上の中央の画素領域に格子状に形成してあり、各行の画素に対応する補助容量に接続された複数の補助容量配線と、該補助容量配線を通じて各補助容量へ信号を送出する信号送出部とを備える液晶パネルにおいて、前記複数の補助容量配線は、複数行おきに同一グループに属するように複数のグループに分別されており、同一グループの補助容量配線に前記画素領域内の点上で接続される列方向の枝配線を各グループについて複数備え、更に、前記複数の補助容量配線へ信号を支給する幹配線と、前記信号送出部からの信号をグループ別に分配して前記幹配線へ送出する送出部とを備え、前記幹配線は、前記基板上の周辺部に列方向に分断されるように配されている単位配線からなり、該単位配線毎に、同一グループに属する複数の補助容量配線に接続されており、前記送出部は、前記単位配線毎にグループ別の信号を送出するようにしてあることを特徴とする。【００１７】
本発明に係る液晶パネルは、前記単位配線は、行方向に並設されており、該単位配線の行方向の数は前記グループの数よりも少ないことを特徴とする。【００１８】
本発明に係る液晶パネルは、各グループの枝配線は行方向に均等間隔に配線されており、列方向に均等間隔に位置する異なる複数の単位配線と、該複数の単位配線に夫々接続されている複数の補助容量配線を介して接続されてあることを特徴とする。【００１９】
本発明に係る液晶パネルは、前記複数の画素は夫々、異なる色別又は異なる光強度別の複数の副画素からなり、各電極及び補助容量は前記副画素に各々対応するようにしてあることを特徴とする。【００２０】
本発明では、各行の画素に対応する電極の補助容量に接続されている補助容量配線は、数行おきに複数のグループに分別され、補助容量配線には列方向の枝配線がグループ別に、複数箇所で接続されている。列方向の枝配線はグループ毎に、画素領域外に行方向に配線されている幹配線に接続される。画素領域外に配される幹配線は、複数に分断されており、分断された単位配線毎に同一グループの枝配線に接続するようにしてあるから、同一直線上にあっても、異なる単位配線は異なるグループの列配線と接続できる。同一直線上の異なる単位配線を、複数のグループの幹配線として用いることができるから、画素領域外における配線面積を列方向に縮小することが可能である。
なお、幹配線は、画素領域外に列方向に配線されてもよい。この場合、幹配線はグループ毎に、補助容量配線を介して列方向の枝配線へ接続され、枝配線から更に同一グループの他の補助容量配線へ接続される。この場合も、幹配線は複数に分断され、分断された単位配線毎にグループ別に接続するようにしてあるから、同一直線上にあっても、異なる単位配線は異なるグループの補助容量配線へ接続される。この場合、行方向の幹配線は不要であり、同一直線上の異なる単位配線を、複数のグループの幹配線として用いることができるから、画素領域外の配線面積を列方向に更に縮小することが可能である。【００２１】
本発明では、複数の単位配線は、列方向（又は行方向）に並設されているが、並設されている数はグループの数より少ない。行方向に分断されずに配線される幹配線に、枝配線がグループ別に接続される場合、幹配線の行数はグループの数となるが、グループの数より少ない数で列方向（又は行方向）に並設される単位配線で幹配線を構成することにより、画素領域外における配線面積を列方向に縮小することが可能である。【００２２】
本発明では、同一グループの複数の単位配線は、均等間隔に位置するようにしてある。均等間隔に位置する単位配線に夫々接続される複数の枝配線が、行方向に複数の点で補助容量配線に接続される。したがって、各グループの補助容量配線へ行方向に均等に信号を伝達させることが可能となる。
また、幹配線を列方向に配線する場合、均等間隔に位置する単位配線が補助容量配線を介して均等に位置する枝配線へ接続し、各枝配線が行方向に複数の点で他の補助容量配線に接続される。この場合も各グループの補助容量配線へ行方向に均等に信号を伝達させることが可能となる。【００２３】
本発明では、１つの画素は、異なる色別又は異なる光強度別の複数の副画素からなり、副画素は同一画素内で格子状に並ぶものである。各電極及び補助容量は、各々１つの副画素に対応する。各副画素の補助容量へ接続される補助容量配線が、分断された単位配線からなる幹配線を介して信号を受ける。１つの画素が、異なる色及び異なる光強度別の複数の副画素に対応する構成により、１つの画素で微細な色表現及び階調表現が可能となる。補助容量の数が多くなるが、幹配線が分断された単位配線からなる構成により、配線面積の縮小及び補助容量への信号の伝達率の維持を実現することが可能となる。
【発明の効果】
【００２４】
本発明による場合、液晶パネルは、画素領域外における配線面積を列方向に縮小することが可能であるから、狭額縁化の要請に対応することができる。更に、行方向に配されている補助容量配線に、複数箇所で接続する複数の枝配線を単位配線に接続して補助容量への信号を伝達することができるから、矩形波である信号の鈍りを防止することができ、表示ムラの防止を実現することができる。
【図面の簡単な説明】
【００２５】
【図１】実施の形態１における液晶パネルを模式的に示す正面図である。
【図２】副画素の構成を示す説明図である。
【図３】基板上に形成される電極を含む素子を模式的に示す説明図である。
【図４】基板上に形成される電極を含む素子の回路構成を示す図である。
【図５】実施の形態１における幹配線の配置を模式的に示す説明図である。
【図６】実施の形態１における各補助容量への伝達率を示す説明図である。
【図７】実施の形態２における幹配線の配置を模式的に示す説明図である。
【図８】実施の形態３における幹配線の配置を模式的に示す説明図である。
【図９】従来技術における幹配線の配置を模式的に示す説明図である。
【発明を実施するための形態】
【００２６】
以下に、本発明の実施の形態について図面に基づき具体的に説明する。
【００２７】
（実施の形態１）
図１は、実施の形態１における液晶パネル１００を模式的に示す正面図である。液晶パネル１００は、表示パネルであり、矩形の平板状をなす。
【００２８】
液晶パネル１００は、アクティブマトリクス方式を採用している。液晶パネル１００は、複数の画素１が格子状に配列している画素領域１０を有している。例えば、画素領域１０には、行方向に画素１が1920個、列方向に画素１が1080個配列している。なお、実施の形態１における画素１は、後述するように６つの副画素１１からなる。
【００２９】
液晶パネル１００は、以下のように構成される。１対の透光性の矩形状基板（ガラス基板）２，３の内、液晶パネル１００の表面側の基板２上にカラーフィルタ２１が形成される。基板２には、カラーフィルタ２１上に透光性の絶縁膜が形成され、更に、電極２２が形成され、電極２２上には配向膜が形成される。一方の基板３には、液晶を駆動するための電極３１を含む各素子が、透光性が高い導電材料で形成され、電極３１上に配向膜が形成される。基板２，３のいずれか一方の配向膜側の画素領域外１０にスペーサ及び液晶を封止するためのシール材が形成される。基板２と基板３とが配向膜側で対向するように貼り合わせられる。基板２と基板３との間のスペーサによって生じた空間に液晶分子を含む液晶材料が注入され、封止される。更に基板２，３には、対向面と反対側の外面に偏光フィルタが各貼付される。更に、基板２，３上の電極２２，３１を含む素子に接続される駆動回路が接続される。
【００３０】
図２は、副画素の構成を示す説明図である。図２は、図１中の基板２における画素１に対応する部分の偏光フィルタ側（表面側）からの拡大図である。なお、図２において偏光フィルタ及び基板２の基材は図示を省略する。
【００３１】
画素１は、６つの副画素１１Ｒａ，１１Ｒｂ，１１Ｇａ，１１Ｇｂ，１１Ｂａ，１１Ｂｂからなる。６つの副画素１１Ｒａ，１１Ｒｂ，１１Ｇａ，１１Ｇｂ，１１Ｂａ，１１Ｂｂは、赤色（Ｒ）の副画素１１Ｒａ，１１Ｒｂ、緑色（Ｇ）の副画素１１Ｇａ，１１Ｇｂ、青色（Ｂ）の副画素１１Ｂａ，１１Ｂｂと、色別に各２つの副画素からなる。
【００３２】
図２に示すように、基板２のカラーフィルタ２１は、フィルタ２１Ｒ，２１Ｇ，２１Ｂと、ブラックマトリックス２０とからなる。赤色のフィルタ２１Ｒ、緑色のフィルタ２１Ｇ、青色のフィルタ２１Ｂは夫々、画素領域１０の短手方向の長さ及び副画素１１分の幅を有する短冊状のフィルタである。フィルタ２１Ｒ，２１Ｇ，２１Ｂは、基板２の短手方向に沿って、長手方向にＲＧＢＲＧＢ…の順で巡回的に並列される。ブラックマトリックス２０は、例えばカーボンブラックを含む樹脂膜であり、副画素１１間の隙間を光が透過しないよう、副画素１１夫々に対応する箇所に略矩形の開口部を有するように形成されている。これにより、副画素１１Ｒａ，１１Ｒｂに対応する箇所に赤色のフィルタ２１Ｒが、副画素１１Ｇａ，１１Ｇｂに対応する箇所に緑色のフィルタ２１Ｇが、副画素１１Ｂａ，１１Ｂｂに対応する箇所にフィルタ２１Ｂが透過して表側から視認できるようにしてある。
【００３３】
基板２のカラーフィルタ２１上には、対向電極２２が形成されており、対向電極２２は夫々、共通電圧Ｖcom に接続されている（図４の回路図参照）。
【００３４】
図３は、基板３上に形成される電極３１を含む素子を模式的に示す説明図であり、図４は、基板３上に形成される電極３１を含む素子の回路構成を示す図である。図３は、画素１に対応する部分の配向膜側（表面側）から拡大してみた様子を表している。なお、配向膜は図示を省略している。
【００３５】
図３に示すように、基板３には、各副画素１１に対応するように、画素電極３１が形成されている。画素電極３１は、透明導電材料により形成されてある。例えば、ＩＴＯ（Indium tin oxide：酸化インジウムスズ）が用いられる。また基板３には、各画素電極３１に、薄膜トランジスタ（ＴＦＴ：Thin film transistor）３２及び補助容量Ｃｓが各々形成され、各薄膜トランジスタ３２及び補助容量Ｃｓへ信号を供給するソースバスライン３３、ゲートバスライン３４、補助容量バスライン３７、及び枝配線３８が形成されている。
【００３６】
薄膜トランジスタ３２は、各色の２つの副画素１１Ｒａ，１１Ｒｂ（１１Ｇａ，１１Ｇｂ、１１Ｂａ，１１Ｂｂ）間の中央寄りに形成されている。薄膜トランジスタ３２は、ソース電極３２１、ゲート電極３２２及びドレイン電極３２３を有している。
【００３７】
補助容量Ｃｓは、各色の２つの副画素１１Ｒａ，１１Ｒｂ（１１Ｇａ，１１Ｇｂ、１１Ｂａ，１１Ｂｂ）の上又は下の外側寄りに形成されている。なお補助容量Ｃｓは、絶縁膜を介して対向する補助容量電極３５，３６間により形成されている。
【００３８】
ゲートバスライン３４は、各画素１の中央を行方向に通るように、各画素電極３１間に行方向に配線されている。なお、ゲートバスライン３４は、各画素電極３１間を１行ずつ開けるようにしてある。ゲートバスライン３４は、画素電極３１の上又は下の縁部上に絶縁層を介して形成されている。ゲートバスライン３４から、列方向へ突出するようにして薄膜トランジスタ３２のゲート電極３２２が形成されている。ゲートバスライン３４は、基板３外のゲートドライバ（図示せず）に接続されている。
【００３９】
ソースバスライン３３は、各画素電極３１間に列方向に配線されている。ソースバスライン３３は、画素電極３１の一部の下、及びゲートバスライン３４の一部の上に、絶縁層を介して形成されている。ソースバスライン３３の各画素電極３１間の隙間に対応する箇所から、行方向へ突出するようにして薄膜トランジスタ３２のソース電極３２１が形成されている。ソースバスライン３３は、基板３外のソースドライバ（図示せず）に接続されている。
【００４０】
補助容量バスライン３７は、ゲートバスライン３４と交互になるように、各画素電極３１間の行方向の隙間上を１行ずつ開けて行方向に配線されている。補助容量バスライン３７は、画素電極３１の上又は下の縁部上に絶縁層を介して形成されている。
【００４１】
枝配線３８は、各画素１において何れかの画素電極３１上に列方向に配線されている。枝配線３８は、ソースバスライン３３と同層にメタル材料で形成され、複数行おきに補助容量バスライン３７にコンタクトホールを介して接続されている。枝配線３８は、後述するように、補助容量バスライン３７と幹配線７０との間を接続する。
【００４２】
薄膜トランジスタ３２のドレイン電極３２３は、ソースバスライン３３から突出するソース電極３２１と対向するように行方向に沿って、ゲートバスライン３４上に絶縁層を介して形成されている。
【００４３】
補助容量電極３５は、補助容量バスライン３７上に絶縁層を介して形成されている。補助容量電極３５は、絶縁層を貫通するコンタクトホール３５１を介して画素電極３１と電気的に接続している。補助容量電極３６は、補助容量バスライン３７上の、補助容量電極３５と対向する一部である。
【００４４】
ドレイン電極３２３は、画素電極３１上を列方向に渡るように配されている引出配線３１５により、補助容量電極３５と接続される。また、ドレイン電極３２３は、補助容量電極３５とコンタクトホール３５１を介して電気的に接続している画素電極３１に接続されている。
【００４５】
このように構成される画素電極３１、薄膜トランジスタ３２及び補助容量Ｃｓにより、ゲートバスライン３４を介して各行の薄膜トランジスタ３２が１行ずつオン状態となったタイミングで、ソースバスライン３３を介して供給される各行の画素電極３１への制御信号を画素電極３１が入力し、制御信号の情報を補助容量Ｃｓにて保持するようにしてある。これにより、各色の副画素１１Ｒａ，１１Ｒｂ，１１Ｇａ，１１Ｇｂ，１１Ｂａ，１１Ｂｂに対応する液晶層における光の透過量を調整して、各画素１の色及び輝度の階調を微細に表現した画像表示を実現する。
【００４６】
このとき、実施の形態１では、各色の副画素１１Ｒａ，１１Ｒｂ（１１Ｇａ，１１Ｇｂ、１１Ｂａ，１１Ｂｂ）において、各々の補助容量Ｃｓの補助容量電極３６へ、信号電圧変化の方向が逆で変化量が同一の制御信号を送出することにより、各色の副画素１１Ｒａ，１１Ｒｂ（１１Ｇａ，１１Ｇｂ、１１Ｂａ，１１Ｂｂ）で異なる輝度レベルとするようにしてある。これにより、輝度調整をより微細に行なって中間調の表現を豊かにし、視野角特性を向上させることが可能である。
【００４７】
各々の補助容量Ｃｓの補助容量電極３６への制御信号は、基板３に電気的に接続される補助容量制御部７から、行毎に制御信号が出力され、補助容量バスライン３７を介して伝達される。制御信号には矩形波が用いられる。多数の補助容量Ｃｓへ制御信号を伝達しなければならないため、波形鈍りと呼ばれる現象が生じることが問題であった。
【００４８】
そこで、実施の形態１における液晶パネル１は、補助容量制御部７からの制御信号を確実かつ高速に伝達するために、分断された単位配線７１〜７４で構成される行方向の幹配線７０を備える構成とする。
【００４９】
以下、実施の形態１における幹配線７０について、図面を参照して詳細に説明する。図５は、実施の形態１における幹配線７０の配置を模式的に示す説明図である。
【００５０】
幹配線７０は画素領域１０外の上部の周辺部に、行方向に沿って、２本の配線が同数に分断されるようにして配されてある。分断された線を夫々、単位配線７１〜７４という。換言すれば、行方向に沿った単位配線７１〜７４が、列方向に２本、行方向に偶数本並設されて幹配線７０を構成する。なお、単位配線７１〜７４の行方向の並列数は、以下に説明する補助容量制御部７の数に対応するようにしてある。
【００５１】
補助容量制御部７は、ソースドライバが画素領域１０を列方向に複数に分割したブロック単位で制御信号を出力することに対応して、同様にブロック単位に分割されている。各ブロックの補助容量制御部７は夫々、単位配線７１〜７４の内、上下に並列された２本の単位配線７１，７２（又は７３，７４）と接続されており、接続されている単位配線７１，７２（又は７３，７４）へ、各々補助容量Ｃｓへの制御信号を出力する。
【００５２】
枝配線３８は、画素領域１０内外に亘って、列方向に配線されている。また、枝配線３８は、単位配線７１〜７４のいずれかに接続されている。隣り合う枝配線３８は異なる単位配線７１〜７４に接続するようにしてある。
【００５３】
なお、幹配線７０、枝配線３８及び補助容量バスライン３７の接続関係は、４つのグループに分けられており、グループ別に制御信号が補助容量制御部７から伝達されるようにしてある。以下に、接続関係について詳細に説明する。
【００５４】
複数の補助容量バスライン３７は、４行おきに同一グループとなるように分別されている。各グループ単位で、同一グループの補助容量バスライン３７は、同一グループの複数の枝配線３８に接続するようにしてある。枝配線３８は、各単位配線７１〜７４に、４本ずつ接続するようにしてあり、該４本の枝配線３８は同一グループに属している。
【００５５】
具体的には、補助容量バスライン３７は、上からグループＩ，ＩＩ，ＩＩＩ，ＩＶ，Ｉ，…と巡回的に、４つのグループに分別されている。枝配線３８は、左からグループＩ，ＩＩ，Ｉ，ＩＩ，Ｉ，ＩＩ，Ｉ，ＩＩ，ＩＩＩ，ＩＶ，ＩＩＩ，ＩＶ，ＩＩＩ，ＩＶ，ＩＩＩ，ＩＶ，Ｉ，ＩＩ，…の順で各グループに分別されている。枝配線３８は、２グループ毎に（グループＩ，ＩＩ、及びグループＩＩＩ，ＩＶ）、１つのブロックに配線されるようにしてあり、且つ１つのブロック内で隣り合う枝配線３８が異なるグループに属するようにしてある。そして、グループＩ〜ＩＶ毎に、同一のグループに属する補助容量バスライン３７と枝配線３８とが接続されている。
【００５６】
幹配線７０を構成する単位配線７１〜７４は、グループＩに属する単位配線７１と、グループＩＩに属する単位配線７２と、グループＩＩＩに属する単位配線７３と、グループＩＶに属する単位配線７４とに分別されている。グループＩに属する単位配線７１と、グループＩＩに属する単位配線７２とが列方向に上下に並んで１つのブロックに配線されるようにしてある。同様にして、グループＩＩＩに属する単位配線７３と、グループＩＶに属する単位配線７４とが列方向に上下に並んで他の１つのブロックに配線されるようにしてある。なお、単位配線７１と単位配線７３とが上下に並び、単位配線７２と単位配線７４とが上下に並ぶ構成としてもよいし、上下反転させてもよい。単位配線７１に接続されている枝配線３８はグループＩであり、単位配線７２に接続されている枝配線３８はグループＩＩである。同一ブロック内で隣り合う枝配線３８が異なるグループに属するようにしてあるから、グループＩの枝配線３８とグループＩＩの枝配線３８とが交互に並んでいる。同様にして、単位配線７３に接続されている枝配線３８はグループＩＩＩであり、単位配線７４に接続されている枝配線３８はグループＩＶであって、グループＩＩＩとグループＩＶの枝配線３８は、画素領域１０内で交互に並んでいる。
【００５７】
各グループ単位で見た場合、例えばグループＩの単位配線７１は、行方向に均等間隔に配置されている。グループＩの枝配線３８は、１つの単位配線７１内でも行方向に均等間隔に配置されている。グループＩの枝配線３８は、画素領域１０内の全体としてみても、４本毎に、ほぼ均等間隔に配置されてグループＩの補助容量バスライン３７に接続されている。他のグループＩＩ〜ＩＶにおいても、単位配線７２〜７４は、行方向に均等間隔に配置されており、枝配線３８は行方向に均等間隔に配置されている。
【００５８】
図９は、従来技術における幹配線９０の配置を模式的に示す説明図である。従来技術における液晶パネルでは、補助容量制御部９が、行方向に配線された補助容量バスライン９７へ、幹配線９０及び枝配線９８を介して制御信号を行毎に出力する。従来技術においても補助容量制御部９は、ブロック単位に分割されている。
【００５９】
従来技術における幹配線９０は、画素領域１０外の上部の周辺部に、液晶パネルの長手方向の略全体に亘って配線される４本の線９１〜９４から構成される。枝配線９８は、画素領域１０内外に亘って、列方向に配線されている。枝配線９８は、幹配線９０を構成する線９１〜９４のいずれかに接続されている。隣り合う枝配線９８は異なる線９１〜９４に接続するようにしてある。
【００６０】
従来技術において具体的には、幹配線９０は、グループＩの線９１と、グループＩＩの線９２と、グループＩＩＩの線９３と、グループＩＶの線９４とに分別される。そして枝配線９８は、左からＩ，ＩＩ，ＩＩＩ，ＩＶ，Ｉ，ＩＩ，ＩＩＩ，ＩＶ，Ｉ，ＩＩ，…の順で各グループに分別されている。そして、同一のグループの枝配線９８と幹配線９０の線９１〜９４とが接続するようにしてある。この場合、幹配線９０は、４本の線９１〜９４の分だけ配線面積を占める。
【００６１】
このようにして、４本の線９１〜９４からなる幹配線９０を行方向に配線する構成とするよりも、実施の形態１のようにグループの数である４を２分割して２本の配線を分断するようにして配線した単位配線７１〜７４を各々のグループの幹線として用いる構成とすることにより、幹配線の配線面積を列方向に縮小することができる。なおこのとき、従来技術と本発明とを比較した場合、画素領域１０内での枝配線３８，９８から各補助容量バスライン３７，９７への入力点数は変わらない。したがって、本発明を適用した場合の幹配線７０の負荷は、従来技術と略同等であるから、各補助容量Ｃｓへの制御信号の波形鈍りも、従来技術と同じように抑制することが可能である。
【００６２】
なお、上述の説明及び図面では、説明を容易にするためにグループの数を４つとし、列方向に２分割して２本の配線を分断するように配線した幹配線７０を備える構成とした。しかしながら、グループの数は４つに限らない。例えば、既存の製品では、グループの数は「１２」である。この場合、幹配線７０は、１２グループを２分割して６本の配線を分断するように配線したものでもよいし、３分割して４本の配線を分断するように配線したものでもよく、同様に、６分割して２本の配線を分断するように配線したものでもよい。上述の説明及び図面では、説明を容易にするために、１つの単位配線７１〜７４へ接続されている枝配線３８は４本としている。しかしながら、実際には、全ての副画素に枝配線３８を配置するか、又は、特定の色の副画素に枝配線３８を配置することが可能である。
【００６３】
図６は、実施の形態１における各補助容量Ｃｓへの伝達率を示す説明図である。図６では、グループの数が１２の場合に、幹配線７０の列方向の配線の数を１２、６、４、２としたときの、各補助容量Ｃｓへの制御信号の到達率をシミュレーションして得られた結果を表で示している。なお、各補助容量Ｃｓへの制御信号の到達率とは、矩形波の正負が切り替わる時間幅の１０／１２単位時間後以内における到達率を示している。到達率が９９％以上確保できれば表示品質に影響が無いことが確認されている。
【００６４】
図６に示すように、グループを分割せずに従来技術のような構成で幹配線及び枝配線を用いる場合、複数点で補助容量バスラインに接続することができることにより、到達率は９９．９％である。また、１２グループを２分割し、６本の配線を分断するようにした単位配線からなる幹配線を用いる場合も、到達率は９９．９％である。１２グループを３分割し、４本の配線を分断するようにした単位配線からなる幹配線を用いる場合、到達率は９９．８％である。更に、１２グループを６分割し、２本の配線を分断するようにした単位配線からなる幹配線を用いる場合、到達率は９９．２％である。このように、幹配線７０の列方向の配線の本数が１２、６、４、２のいずれでも、到達率は９９％以上となり、表示品質に影響がない。したがって、例えば６分割して２本の配線を分断するようにして配線した単位配線からなる幹配線を備える構成であっても、波形鈍りを抑制し、十分な表示品質の表示パネルを実現することができ、狭額縁化の要請に対応することができる。
【００６５】
（実施の形態２）
実施の形態１では、分割された補助容量制御部７が夫々、グループＩ及びＩＩの単位配線７１，７２、又は、グループＩＩＩ及びＩＶの単位配線７３，７４に接続されている構成とした。これに対し、実施の形態２では、単位配線の数を２倍にし、分割された補助容量制御部７が夫々、４つのグループＩ〜ＩＶの単位配線７１〜７４に接続されている構成とする。
【００６６】
図７は、実施の形態２における幹配線７０の配置を模式的に示す説明図である。幹配線７０は、画素領域１０外の上部の周辺部に、行方向に沿って、２本の線が同数に分断されるようにして配線されている。分断された各線は単位配線７１〜７４である。なお、実施の形態２における単位配線７１〜７４は、実施の形態１と比較して行方向に半分の長さであり、本数は行方向に２倍である。
【００６７】
補助容量制御部７は夫々、２行２列に並列された４本の単位配線７１〜７４に夫々接続されており、接続されている単位配線７１〜７４へ、各々補助容量Ｃｓへの制御信号を出力する。
【００６８】
実施の形態２においても、幹配線７０、枝配線３８及び補助容量バスライン３７の接続関係は、４つのグループに分けられており、グループ別に制御信号が補助容量制御部７から伝達されるようにしてある。
【００６９】
複数の補助容量バスライン３７は、４行おきに同一グループとなるように分別されている。各グループ単位で、同一グループの補助容量バスライン３７は、同一グループの複数の枝配線３８に接続するようにしてある。枝配線３８は、各単位配線７１〜７４に、２本ずつ接続するようにしてあり、該２本の枝配線３８は同一グループに属している。
【００７０】
具体的には、補助容量バスライン３７は、上からグループＩ，ＩＩ，ＩＩＩ，ＩＶ，Ｉ，ＩＩ，…と巡回的に、４つのグループに分別されている。枝配線３８は、左からグループＩ，ＩＩ，Ｉ，ＩＩ，ＩＩＩ，ＩＶ，ＩＩＩ，ＩＶ，Ｉ，ＩＩ，Ｉ，ＩＩ，ＩＩＩ，ＩＶ，ＩＩＩ，ＩＶ，Ｉ，ＩＩ，Ｉ，…の順で各グループに分別されている。枝配線３８は４つのグループ毎に（グループＩ〜ＩＶ）、１つのブロックに配線されるようにしてあり、且つ１つのブロック内で隣り合う枝配線３８が異なるグループに属するようにしてある。そして、同一のグループＩ〜ＩＶに属する補助容量バスライン３７と枝配線３８とが各々接続されている。
【００７１】
幹配線７０を構成する単位配線７１〜７４は、グループＩに属する単位配線７１と、グループＩＩに属する単位配線７２と、グループＩＩＩに属する単位配線７３と、グループＩＶに属する単位配線７４とに分別されている。グループＩに属する単位配線７１と、グループＩＩに属する単位配線７２とが列方向に上下に並び、また、グループＩＩＩに属する単位配線７３と、グループＩＶに属する単位配線７４とが列方向に上下に並び、４つのグループの単位配線７１〜７４が１つのブロックに配線されるようにしてある。単位配線７１と単位配線７３とが上下に並び、単位配線７２と単位配線７４とが上下に並ぶ構成としてもよいし、上下反転させてもよい。単位配線７１に接続されている枝配線３８はグループＩであり、単位配線７２に接続されている枝配線３８はグループＩＩである。同一ブロック内で隣り合う枝配線３８は異なるグループに属するようにしてあるから、グループＩの枝配線３８とグループＩＩの枝配線３８とが交互に並んでいる。同様にして、単位配線７３に接続されている枝配線３８はグループＩＩＩであり、単位配線７４に接続されている枝配線３８はグループＩＶであって、グループＩＩＩとグループＩＶの枝配線３８は、画素領域１０内で交互に並んでいる。
【００７２】
実施の形態２における構成でも、各グループ単位で見た場合、例えばグループＩの単位配線Ｉは、行方向に均等間隔に配置されている。グループＩの枝配線３８は、１つの単位配線７１内でも行方向に均等間隔に配置されている。グループＩの枝配線３８は、画素領域１０内の全体としてもみても、４本毎に、ほぼ均等間隔に配置されてグループＩの補助容量バスライン３７に接続されている。他のグループＩＩ〜ＩＶにおいても、単位配線７２〜７４、行方向に均等間隔に配置されており、枝配線３８も行方向に均等間隔に配置されている。
【００７３】
実施の形態２における構成でも、４本の線９１〜９４からなる幹配線９０を行方向に配線する構成（図８）とするよりも、２本の配線を分断するようにして配線した単位配線７１〜７４を各々のグループの幹線として用いる構成とすることにより、幹配線の配線面積を列方向に縮小することができる。なおこのとき、従来技術と本発明とを比較した場合、画素領域１０内での枝配線３８から各補助容量バスライン３７への入力点数は変わらない。したがって、幹配線７０の負荷は、従来技術と略同等であるから、各補助容量Ｃｓへの制御信号の波形鈍りも、従来技術と同じように抑制することが可能である。
【００７４】
（実施の形態３）
実施の形態１及び２では、幹配線７０は行方向に配されている構成とした。これに対し、実施の形態３では、幹配線７０が列方向に配される構成とする。
【００７５】
図８は、実施の形態３における幹配線７０の配置を模式的に示す説明図である。幹配線７０は、画素領域１０外の両側部の周辺部に、列方向に沿って、２本の線が同数に分断されるようにして配線されている。分断された各線は単位配線７１〜７４である。なお図８では、一方の側部を拡大して示している。
【００７６】
補助容量制御部７は、ゲートドライバが画素領域１０を行方向に複数に分割したブロック単位で制御信号を出力することに対応して、同様にブロック単位に分割されている。各ブロックの補助容量制御部７は夫々、単位配線７１〜７４の内、左右に並列された２本の単位配線７１，７２（又は７３，７４）と接続されており、接続されている単位配線７１，７２（又は７３，７４）へ、各々補助容量Ｃｓへの制御信号を出力する。
【００７７】
実施の形態３においても、幹配線７０、枝配線３８及び補助容量バスライン３７の接続関係は、４つのグループに分けられており、グループ別に制御信号が補助容量制御部７から伝達されるようにしてある。
【００７８】
複数の補助容量バスライン３７は、４行おきに同一グループとなるように分別されている。各グループ単位で、同一グループの補助容量バスライン３７は、同一グループの複数の枝配線３８に接続するようにしてある。補助容量バスライン３７は、各単位配線７１〜７４に、グループ別に接続されている。
【００７９】
具体的には、補助容量バスライン３７は、上からグループＩ，ＩＩ，ＩＩＩ，ＩＶ，Ｉ，…と巡回的に、４つのグループに分別されている。枝配線３８は、左からグループＩ，ＩＩ，ＩＩＩ，ＩＶ，Ｉ，…と巡回的に各グループに分別されている。グループＩ〜ＩＶ毎に、同一のグループに属する補助容量バスライン３７と枝配線３８とが接続されている。
【００８０】
幹配線７０を構成する単位配線７１〜７４は、グループＩに属する単位配線７１と、グループＩＩに属する単位配線７２とが行方向に左右に並んで１つのブロックに配線されるようにしてある。同様にして、グループＩＩＩに属する単位配線７３と、グループＩＶに属する単位配線７４とが行方向に左右に並んで他の１つのブロックに配線されるようにしてある。なお、単位配線７１と単位配線７３とが左右に並び、単位配線７２と単位配線７４とが左右に並ぶ構成としてもよいし、左右反転させてもよい。
【００８１】
グループＩの単位配線７１と同一のブロック内の補助容量バスライン３７は、単位配線７１に接続されている。グループＩの補助容量バスライン３７は、同一グループＩの枝配線３８と接続されており、グループＩの枝配線３８は、全ブロック内の同一グループＩの補助容量バスライン３７と接続されている。これにより、補助容量制御部７から送出されたグループＩの制御信号は、単位配線７１からグループＩの補助容量バスライン３７を介してグループＩの枝配線３８へ伝達され、枝配線３８を介して更に他のブロックのグループＩの補助容量バスライン３７へ伝達される。
【００８２】
各グループ単位で見た場合、例えばグループＩの単位配線７１は、列方向に均等間隔に配置される。グループＩの枝配線３８は、画素領域１０内に４本毎に、行方向にほぼ均等間隔に配置されて各補助容量バスライン３７に接続されている。したがって、各ブロックの補助容量バスライン３７へほぼ均等に制御信号が伝達される。これにより、幹配線の配線面積を縮小することができると共に、各補助容量Ｃｓへの制御信号の波形鈍りも、従来技術と同じように抑制することが可能である。
【００８３】
開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
【符号の説明】
【００８４】
１００  液晶パネル
１  画素
１１，１１Ｒａ，１１Ｒｂ，１１Ｇａ，１１Ｇｂ，１１Ｂａ，１１Ｂｂ  副画素
３７  補助容量バスライン（補助容量配線）
３８  枝配線
７  補助容量制御部（信号送出部）
７０  幹配線
７１，７２，７３，７４  単位配線
【図１】
2015079555.tif 000003
【図２】
2015079555.tif 000004
【図３】
2015079555.tif 000005
【図４】
2015079555.tif 000006
【図５】
2015079555.tif 000007
【図６】
2015079555.tif 000008
【図７】
2015079555.tif 000009
【図８】
2015079555.tif 000010
【図９】
2015079555.tif 000011
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
格子状に配列されている複数の画素夫々に対応するように、複数の電極及び該電極の補助容量が基板上の中央の画素領域に格子状に形成してあり、各行の画素に対応する補助容量に接続された複数の補助容量配線と、該補助容量配線を通じて各補助容量へ信号を送出する信号送出部とを備える液晶パネルにおいて、
前記複数の補助容量配線は、複数行おきに同一グループに属するように複数のグループに分別されており、
同一グループの補助容量配線に前記画素領域内の点上で接続される列方向の枝配線を各グループについて複数備え、
更に、
該複数の枝配線へ信号を支給する幹配線と、
前記信号送出部からの信号をグループ別に分配して前記幹配線へ送出する送出部と
を備え、
前記幹配線は、前記基板上の周辺部に行方向に分断されるように配されている単位配線からなり、該単位配線毎に、同一グループに属する複数の枝配線に接続されており、
前記送出部は、前記単位配線毎にグループ別の信号を送出するようにしてあること
を特徴とする液晶パネル。
【請求項２】
前記単位配線は列方向に並設されており、該単位配線の列方向の数は前記グループの数よりも少ない
ことを特徴とする請求項１に記載の液晶パネル。
【請求項３】
各グループの補助容量配線は、行方向に均等間隔に位置する異なる複数の単位配線と、該複数の単位配線に夫々接続されている複数の枝配線を介して接続されてある
ことを特徴とする請求項１に記載の液晶パネル。
【請求項４】
前記複数の画素は夫々、異なる色別又は異なる光強度別の複数の副画素からなり、各電極及び補助容量は前記副画素に各々対応するようにしてあること
を特徴とする請求項１から３のいずれか１つに記載の液晶パネル。
【手続補正２】
【補正対象書類名】図面
【補正対象項目名】図５
【補正方法】変更
【補正の内容】
【図５】
2015079555.tif 000012
【国際調査報告】
2015079555.tif 000013
2015079555.tif 000014